(57)【特許請求の範囲】
【請求項１】
客から受けた注文情報を入力するキー操作部と、該キー操作部で受けた注文情報を、該注文情報を管理するデータ制御装置へ送信する送信回路と、前記データ制御装置からメッセージを受信する受信回路と、前記注文情報および前記メッセージを表示する表示部とを備えた基本部であって、該基本部の下面中央部に、前記基本部を腕に配置した際に腕の周方向となる方向に延在する長穴を有する基本部と、
前記基本部と結合するベースであって、該ベースの上面中央部にピンを有し、該ピンは前記長穴を介して前記基本部に嵌合され、前記ピンの頂部は前記長穴の短手方向の幅よりも大きな直径を有する釘頭部形状であるピンを有するベースと、
前記ベースと連結し、前記基本部および前記ベースを腕に固定するためのバンドとから構成され、
前記基本部は、前記ベースと、前記ピンを中心に回転可能に、且つ前記長穴の長手方向に摺動可能に結合する腕時計型注文入力装置。
【請求項２】
客から受けた注文情報を入力するキー操作部と、該キー操作部で受けた注文情報を、該注文情報を管理するデータ制御装置へ送信する送信回路と、前記データ制御装置からメッセージを受信する受信回路と、前記注文情報および前記メッセージを表示する表示部と、回転可能な操作つまみ部であって、該操作つまみ部の回転中心を通る軸に前記表示部を連結し、前記表示部を傾動もしくは固定する操作つまみ部とを備えた基本部であって、該基本部の下面中央部に丸穴を有する基本部と、
前記基本部と結合するベースであって、該ベースの上面中央部にピンを有し、該ピンは前記丸穴を介して前記基本部に嵌合され、該ピンの頂部は前記丸穴の直径よりも大きな直径を有する釘頭部形状であるピンを有するベースと、
前記ベースと連結し、前記基本部および前記ベースを腕に固定するためのバンドとから構成され、
前記基本部は、前記ベースと、前記ピンを中心に回転可能に結合する腕時計型注文入力装置。
【請求項３】
前記基本部の下面は凹型の球面形状を有し、前記ベースの上面は前記基本部の下面と対応した凸型の球面形状を有する、請求項１または２に記載の腕時計型注文入力装置。
【請求項４】
客から受けた注文情報を入力するキー操作部と、該キー操作部で受けた注文情報を、該注文情報を管理するデータ制御装置へ送信する送信回路と、前記データ制御装置からメッセージを受信する受信回路とを備えた入力本体部と、
ヒンジ機構により、前記入力本体部と、前記入力本体部に水平な回転軸、および垂直な回転軸を中心に回転可能に接続する表示部と、
前記入力本体部と連結し、前記入力本体部を腕に固定するためのバンドとから構成される腕時計型注文入力装置。
【発明の詳細な説明】
【０００１】
【発明の属する技術分野】
本発明は、外食店舗（レストラン、居酒屋、ファーストフード等）内で使用する無線式注文データ管理装置において、客からの注文を入力し無線転送する腕時計型注文入力装置に関する。
【０００２】
【従来の技術】
従来から、レストラン、居酒屋、ホテルあるいはファーストフード等では無線式注文データ管理装置が使用されている。無線式注文データ管理装置の一例を概略説明すると、接客担当者が客から料理の注文を受けた場合、携帯している注文入力装置に、テーブル番号等とともに注文を受けた各メニューを入力する。この入力された注文データは、前記注文入力装置から無線送信される。前記無線送信された注文データは、店舗内の各コーナー等に設置された無線制御装置によって受信され、各種データの処理や一元管理等を行うデータ管理装置に出力される。前記データ管理装置では、前記注文データ及び該注文データを受信した時刻、接客担当者を識別する番号等の情報を記憶装置に記憶する。
【０００３】
そして、厨房に設置されたレストランプリンタから調理指示用の伝票を印刷出力して、調理担当者に調理の指示を送る。また、会計用伝票がレストランプリンタから印刷出力され、これは接客担当者により客に手渡される。調理担当者は調理指示伝票に従って調理を開始し、調理完了するとその旨を接客担当者に通知する。これにより、接客担当者は注文を受けた客に調理を運んで配膳することになる。
【０００４】
ところで、この種の無線式注文データ管理装置においては、注文入力装置は表示部とキー入力部を備えた、いわゆる電卓の形状を大きくしたような形状の装置であり、接客担当者はこれを左手に保持して右手の指を使用してキー入力を行う事で客の注文を入力するのが一般的である。
【０００５】
しかしながらこの方法では、注文入力装置を手指の握力のみで保持するために落下による機械的破損の可能性が高いという問題がある。さらに、注文入力時に両手を使用するために、注文品の提供中や皿のかたづけの最中に新たな注文入力ができないという問題がある。
【０００６】
そこで、これらの問題を解決する方法として、図５に示すように注文入力装置を腕時計型の形状として腕に装着させる方法が考えられる。この方法であれば注文入力装置を手指の握力のみで保持する必要がなくベルト等で腕に固定する事ができるため落下の危険性がなく、しかも従来のように注文入力装置を保持していた左手がふさがるために両手による接客作業ができないということもない。
【０００７】
【発明が解決しようとする課題】
しかしながら、上述した図５に示されるような小型・薄型化した注文入力装置をベルトにより手首部あるいは上腕部等の腕の一部分に単に装着しても以下のような問題がある。即ち、このタイプの表示部は可動式ではなく固定されたものであるために、表示を見る際は、表示部のもつ視野角の制約や室内蛍光灯などの外光による乱反射により見えにくい場合も多々あり、その場合は腕自体を動かし最も見やすい位置にして見る必要がある。また、腕に固定するということで人によっては固定位置と表示の見やすい位置とが個人差により大幅に異なるといった問題も生じる。そのような場合もまた表示を見る為に腕自体を動かし、腕時計型注文入力装置を最適な位置にもってこなければならず、しかも、腕時計型注文入力装置を使用するウェイトレスなどは、両手がふさがった状態で表示部を見ることが多いため、その表示部を最適な姿勢にして見易くするために作業の手を止めて見なければならなかった。このように、時計より表示を見る頻度が高い腕時計型注文入力装置において作業の合間に腕を動かして表示を見ることは、作業そのものを一次中断することになり、作業の効率低下につながる。また、両手で作業しながらでも、厨房などからの情報をタイムリーに確認できるという腕時計型注文入力装置自体の本来の強みを十分に発揮することができない。
【０００８】
そこで本発明は、注文入力装置を腕時計型の形状として腕に装着した場合に、両手の作業を止めることなく、しかも注文データの入力及び表示部の視認が容易にできる腕時計型注文入力装置を提供することを目的とする。
【０００９】
【課題を解決するための手段】
上記目的を達成するために、本発明の腕時計型注文入力装置は、客から受けた注文内容を入力して無線転送する本体部と該本体部を腕に装着するベルトとからなり、前記本体部は、客から受けた注文内容を入力するキー操作部と入力した前記注文内容を表示する表示部とを備え、前記本体部または前記表示部のみ、あるいは前記本体部と前記表示部の両者を可動させて、任意の角度、任意の位置で固定することにより、表示部の表示内容が最も見えやすい角度に調整することができるようにしたものである。
【００１０】
即ち、腕に取り付けた腕時計型注文入力装置における表示部の視野確保において、腕に直接固定する為のベルトがあり、それに固定されたベースを備え、そのベースに対し基本部が可動でき、任意の角度、任意の位置で固定できる構造を備え、表示部の視野としては最も見やすい角度に調整できることを特徴とし、腕に取り付けた状態で、腕時計型注文入力装置を見たとき、基本部は、腕まわりの方向つまり上下方向に可動でき任意の位置で固定でき、かつ回転も可能であり、任意の角度で固定できる。その具体的手段とは、腕に直接固定する為のベルトがあり、そのベルトは、固定されたベースを備えていて、そのベースと基本部は分離していてその結合は、回転かつ上下に摺動可能なピンと長穴によるもので、上下摺動、回転摺動をするための摺動面をベース上面、基本部下面にそれぞれ備えたことにより安定した摺動が得られ、任意の角度、任意の位置での固定をその摺動面の摩擦を利用して行う。
【００１１】
また、その他にも以下のよう手段でも可能である。腕に直接固定する為のベルトがあり、そのベルトは、固定されたベースを備えていて、そのベースと基本部は分離していてその結合は、１本のピンによるもので、ベースに対しそのピンを中心に基本部は、回転可能であり任意の位置で固定可能、表示部は上下方向に角度を可変でき任意の角度で固定可能な機構を備える。表示部の視野確保という手段では、その他にも、腕に取り付けた腕時計型注文入力装置における表示部の視野確保において、腕に直接固定するベルトと腕時計型注文入力装置が一体化で、表示部分だけがヒンジ機構により見開き方向に回転でき、かつ見開き用ヒンジ軸に直角に設置した軸を中心に左右に回転できることにより、表示部の視野としては最も見やすい角度に調整できることを特徴とする手段もある。これらのいろいろな手段により、腕時計型注文入力装置表示の方向に目を向けるだけで、さほど腕を動かして視野確保の必要がないよう、また、個人差、腕への取り付け位置に関係なく、それぞれの合った視野が確保できる。
【００１２】
【発明の実施の形態】
本発明の実施の形態について、図面に基づいて以下に説明する。なお、本発明の腕時計型注文入力装置は、腕に装着して固定するためのベルトを備え、且つ本体部または表示部を回転可能に構成して、腕時計型注文入力装置を任意の位置で固定し、且つ表示部のもつ視野角の制約を克服して表示部の表示が最も見えやすい角度に調整できることを特徴とするものである。また、以下に説明する本発明に係るすべての腕時計型注文入力装置は、ウェイトレス等の接客担当者が店舗内で常時携帯して客からの注文データを入力する端末であり、そのキー入力部を操作することによって、客から受けた各種料理メニュー、伝票番号、テーブル番号等の注文データを入力し、入力した前記注文データを無線で送出する機能と、また上述したデータ制御装置から無線制御装置を介してメッセージを無線で受信する機能を有している。
【００１３】
（実施例１）
図１は、本発明の第１の実施例を示す腕時計型注文入力装置の概観図である。
図１において、腕時計型注文入力装置は、後述するベース１０５と基本部１０６とからなる本体部と、この本体部を装着可能とし前記ベース１０５の両側に設けたベルト１０４とから構成されている。また、本腕時計型注文入力装置はウェイトレスが店舗内で常時携帯し注文入力する端末であって、その本体部の前面１０１には、客から受けた各種料理メニュー、伝票番号、テーブル番号等の注文データを入力するキー入力部１０２と、キーにより入力した内容、及び前記データ制御装置から無線制御装置を介して受信したメッセージを表示する表示部１０３とを備えている。前記基本部１０６は、前記キー入力部１０２を操作することによって、客から受けた各種料理メニュー、伝票番号、テーブル番号等の注文データを入力し、入力した前記注文データを無線で送出する機能を有する送信回路部と、また上述したデータ制御装置から無線制御装置を介してメッセージを無線で受信する機能を有する受信回路部とを内蔵している。
【００１４】
また、図１においてこの腕時計型注文入力装置は、上述のようにベース１０５を腕に固定するベルト１０４を備えており、このベルト１０４により、例えば、手首部、上腕部といった腕の任意の部位に直接固定して装着することができる。その際、ベルト１０４に固定されているベース１０５と腕の相性が最もよい位置、即ち違和感の無い位置でベルト１０４を固定することができる。そうすることで、腕に取り付けるという負担を軽減することができる。なお、本ベルト１０４は、腕にベース１０５を装着することができるような公知の構造、例えば腕時計の皮バンドの美錠金具方式やプラスチック構造のベルトの弾性力を利用しての腕挟み方式といったベルト構造を用いて構成すればよく、装着の方式について構造的に限定されるものではないので、図１においては特に形態を示す図は示していない。
【００１５】
次に図２を用いて、前記ベース１０５と前記基本部１０６の結合に係る構造を説明する。図２は、説明のため基本部１０６のケースの部分のみを示し、その他の部品は省略している。ベース１０５と基本部１０６とは、１本のピン２０１で結合されており、このピン２０１の一端はベース１０５に固定されている。一方、相手側の基本部１０６の下面には、このピン２０１が貫通できる長穴２０２が空いていて、この長穴２０２は、腕に腕時計型注文入力装置を固定したとき、上下方向（矢印２０３方向）に動かせるような方向に空いている。ピン２０１の頂部は、基本部１０６が抜けないように、釘の頭のような形状になっている。従って、基本部１０６は、このピン２０１を中心にベース１０５の上面と基本部１０６の下面を摺動しながら回転できる。また、基本部１０６の下面に空いている長穴２０２により、基本部は長穴の長さだけ、ベース１０５に対し摺動できる。また、基本部１０６は、ベース１０５に対し長穴のどこの位置にピン２０１があっても回転できるように構成されており、ベース１０５と基本部１０６の摺動面であるベース１０５の上面と基本部１０６の下面は、それぞれベース１０５の上面が凸型の球面で基本部１０６の下面が凹型の球面になっている。回転と摺動が同時に行える面ということでは平面構造がすぐに考えられるが、腕に取り付けるという本発明において小型化の観点から考えると、上下方向の摺動は、腕のまわりを回転する構造のほうが小型化できる。
【００１６】
このような構造にすることにより、作業しながらでも腕に固定した腕時計型注文入力装置の表示部が見えやすい角度になるように腕時計型注文入力装置本体を回転させ、上下方向を合わせるといった操作が非常に容易になり、表示部の方向に目を向けるだけで、さほど腕を動かして視野確保をする必要が無くなる。なお、摺動及び回転させる場合の固定方法や固定市の微調整については、ベース１０５と基本部１０６との摺動面及び回転面での摩擦を利用して公知の固定構造及び微調整を採用することにより容易に構成することが可能である。以上のように構成することにより、表示部の表示が最も視野的に快適になるような位置に固定することができる。
【００１７】
（実施例２）
図３は、本発明の第２の実施例を示す腕時計型注文入力装置の概観図である。
第１の実施例で示される腕時計型注文入力装置と第２の実施例で示される腕時計型注文入力装置とを比較した場合、第２の実施例で示される腕時計型注文入力装置は、ベース１０５と基本部１０６との結合方法、表示部を可動させる円盤形つまみ、及び円盤形つまみの操作に連動して傾動する表示部の点において後述するような特徴を有している。
【００１８】
まず、図３において、ベース１０５と基本部１０６とは、第１の実施例と類似の結合方法を採用しているが、その結合方法は第１の実施例において述べたようなピン２０１と長穴２０２との結合ではなく、基本部１０６に設けられた単なる丸穴と、第１の実施例において述べたようなピン２０１との結合でなされている。従って、基本部１０６は、そのピン２０１を中心に回転させることができる。次に、円盤形つまみ３０１及び円盤形つまみの操作に連動して傾動する表示部について説明する。図３に示すように、本基本部１０６には円盤形つまみ３０１が設けられており、円盤形つまみの操作に連動して表示部が傾動するように構成されている。即ち、円盤形つまみ３０１の回転中心を通る軸に表示部が固定されていて、基本部１０６の上面のケースから飛び出している円盤形つまみ３０１をまわすことで、その動きに連動して表示部も回転し、角度が変わる構成としている。このような構成とすることによって、円盤形つまみ３０１を指で回転させることにより基本部１０６の内部の表示部が円盤形つまみ３０１の回転方向に応じて回転し、表示が見易い任意の向きに向けることが可能となる。また、この円盤形つまみ３０１と基本部１０６の内部の固定部については、摩擦の力を利用して回転時の位置固定及び微調整も可能になるように構成されている。
【００１９】
（実施例３）
図４は、本発明の第３の実施例を示す腕時計型注文入力装置の概観図である。
図４に示すように、入力本体部４０１は、直接腕に固定するベルト１０４に固定されており、表示部４０２は、ノート型パーソナルコンピュータのように開閉自在の構造である。表示部４０２は、矢印４０２方向の開閉のほかに、矢印４０３に示すような方向に表示部４０２を回転することができる構造となっており、例えば表示部４０２の表示画面が視認することができるように、表示部の回転により、入力本体部４０１と表示部４０２とを重ねることもできる。このように表示画面を任意の方向に回転することができるため、あらゆる角度の視野確保にも対応でき、また表示部４０２の表示画面が視認することができるように入力本体部４０１と表示部４０２とを重ねることにより接客時の諸作業において表示部が邪魔にならない姿勢とすることも可能である。なお、ヒンジ部は、摩擦の力を利用した公知の技術を採用して、任意の位置で固定及び微調整可能なように構成することができる。
【００２０】
【発明の効果】
以上説明したように、本発明により、外食産業の店舗において接客作業するウェイトレス、ウェイターとしては、手に持つ携帯型注文入力装置から腕時計型注文入力装置に置き換えるメリットとして、ある程度の作業を両手で行いながら、腕時計型注文入力装置の表示部をみることができるという強みを十分に生かせる。また、厨房からの食材、配膳変更などの指示などの情報をタイムリーに得ることが可能になり、そのことで、接客業務の効率がよくなり、店舗側としては、客への接各が充実でき、そのことで、確実に売上向上が期待できるという効果を有する。
【図面の簡単な説明】
【図１】本発明の第１の実施例に係る腕時計型注文入力装置の概観図を示す図である。
【図２】本発明のベースと腕時計型注文入力装置基本部の結合に係る構造を示す図である。
【図３】本発明の第１の実施例に係る腕時計型注文入力装置の概観図を示す図である。
【図４】本発明の第１の実施例に係る腕時計型注文入力装置の概観図を示す図である。
【図５】従来の腕時計型注文入力装置の概観図を示す図である。
【符号の説明】
１０１  前面部
１０２  キー入力部
１０３  表示部
１０４  ベルト
１０５  ベース
１０６  基本部
２０１  ピン
２０２  長穴
３０１  円盤形つまみ
４０１  入力本体部
４０２  表示部
【図１】
0003949935.tif 000002
【図２】
0003949935.tif 000003
【図３】
0003949935.tif 000004
【図４】
0003949935.tif 000005
【図５】
0003949935.tif 000006